(57)【要約】  本明細書で説明される特定の実施形態は、（任意のタイプのコンポーネント、素子、回路等を含み得る）複数の電子コンポーネントに結合される回路基板を含む電子デバイス、例えば、ノートブックコンピュータ、ラップトップ、又はタブレットを提供する。電子デバイスの１つの特定の例示的な実装形態は、電気デバイスの第１の部分と電気デバイスの第２の部分との間の電気的結合を確立する段階を含んでよく、第１の部分は第１のディスプレイを含み、第２の部分は第２のディスプレイを含む。第１の部分を第２の部分から取り外すことは、第１の部分及び第２の部分が各々スタンドアロンタブレットデバイスとして動作することを可能にする。例示的な実装形態は、また、第１の部分が第２の部分から取り外される場合に、協調セッションを開始する段階を含んでよい。
2016532167.tif 000002
【特許請求の範囲】
【請求項１】
第１のディスプレイを含む第１の部分と、
前記第１の部分に結合される第２の部分と
を備え、
前記第２の部分は第２のディスプレイを含み、前記第１の部分が前記第２の部分から分離される場合に、協調セッションが前記第１の部分と前記第２の部分との間で自動的に促進される、電子デバイス。
【請求項２】
前記第１の部分が前記第２の部分に結合される場合に、前記第２のディスプレイは、対話型の仮想キーボードを表示する、請求項１に記載の電子デバイス。
【請求項３】
前記第１の部分は、最大で約３６０度まで回転できるヒンジによって前記第２の部分に結合される、請求項１又は２に記載の電子デバイス。
【請求項４】
前記第１のディスプレイ及び前記第２のディスプレイは、各々、タッチディスプレイを備える、請求項１から３のいずれか一項に記載の電子デバイス。
【請求項５】
前記協調セッションの間、前記第１のディスプレイ上で行われた修正が前記第２のディスプレイ上に示される、請求項１から４のいずれか一項に記載の電子デバイス。
【請求項６】
前記第１の部分は、プリント回路基板インターコネクタによって前記第２の部分に結合される、請求項１から５のいずれか一項に記載の電子デバイス。
【請求項７】
前記第１の部分が前記第２の部分から取り外された後、前記第１の部分は、無線モジュールを用いて前記第２の部分と通信する、請求項１から６のいずれか一項に記載の電子デバイス。
【請求項８】
前記無線モジュールはＷｉ−Ｆｉモジュールである、請求項７に記載の電子デバイス。
【請求項９】
前記第１の部分及び前記第２の部分が連結される場合、電力及びデータは、前記第１の部分と前記第２の部分との間を流れる、請求項１から８のいずれか一項に記載の電子デバイス。
【請求項１０】
電気デバイスの第１の部分と前記電気デバイスの第２の部分との間の電気的結合を確立する段階と、
前記第１の部分が前記第２の部分から取り外される場合、協調セッションを開始する段階と
を備え、
前記第１の部分は第１のディスプレイを含み、前記第２の部分は第２のディスプレイを含み、前記第１の部分から前記第２の部分を取り外すことは、前記第１の部分及び前記第２の部分がスタンドアロンタブレットデバイスとして各々動作することを可能にする、方法。
【請求項１１】
前記第２のディスプレイは、対話型の仮想キーボードを表示する、請求項１０に記載の方法。
【請求項１２】
前記第１の部分は、最大で約３６０度まで回転できるヒンジによって前記第２の部分に結合される、請求項１０又は１１に記載の方法。
【請求項１３】
前記第１のディスプレイ及び前記第２のディスプレイは、各々、タッチディスプレイを備える、請求項１０から１２のいずれか一項に記載の方法。
【請求項１４】
前記協調セッションの間、前記第１のディスプレイ上で行われる修正は、前記第２のディスプレイ上に示される、請求項１０から１３のいずれか一項に記載の方法。
【請求項１５】
前記第１の部分は、プリント回路基板インターコネクタによって前記第２の部分に結合される、請求項１０から１４のいずれか一項に記載の方法。
【請求項１６】
前記第１の部分が前記第２の部分から取り外された後、前記第１の部分は、無線モジュールを用いて前記第２の部分と通信する、請求項１０から１５のいずれか一項に記載の方法。
【請求項１７】
前記無線モジュールは、Ｗｉ−Ｆｉモジュールである、請求項１６に記載の方法。
【請求項１８】
前記第１の部分及び前記第２の部分が連結される場合、電力及びデータは、前記第１の部分と前記第２の部分との間を流れる、請求項１０から１７のいずれか一項に記載の方法。
【請求項１９】
電子デバイスであって、
第１のディスプレイを含む第１の部分と、
第２のディスプレイを含む第２の部分と
を備え、
前記第１の部分は、前記電子デバイスがラップトップ構成であるように、前記第２の部分に結合されることができ、前記第１の部分は、前記第１の部分及び前記第２の部分が各々スタンドアロンタブレットデバイスであることができ、前記第１のディスプレイ及び前記第２のディスプレイが協調セッションを促進するために用いられることができるように、前記第２の部分から分離されることができる、電子デバイス。
【請求項２０】
前記協調セッションの間、前記第１の部分は、無線モジュールを用いて前記第２の部分と通信する、請求項１９に記載の電子デバイス。
【請求項２１】
ロジック
を備え、
前記ロジックは、少なくとも部分的にハードウェアで実装され、
前記ロジックは、
電気デバイスの第１の部分と前記電気デバイスの第２の部分との間の電気的結合を確立し、
前記第１の部分が前記第２の部分から取り外される場合、協調セッションを開始し、
前記第１の部分は第１のディスプレイを含み、前記第２の部分は第２のディスプレイを含み、前記第１の部分を前記第２の部分から取り外すことは、前記第１の部分及び前記第２の部分が各々スタンドアロンタブレットデバイスとして動作することを可能にする、装置。
【発明の詳細な説明】
【技術分野】
【０００１】
本明細書で説明される実施形態は、概して、電子デバイスのための複数の構成可能ディスプレイに関する。
【図面の簡単な説明】
【０００２】
実施形態は、添付の図面の複数の図において、限定を目的としてではなく例として示され、同様の参照符号は同様の要素を示す。
【０００３】
【図１Ａ】本開示の一実施形態による閉じられたクラムシェル構成の電子デバイスの実施形態を示す簡略化された正投影図である。
【０００４】
【図１Ｂ】本開示の一実施形態による開かれたクラムシェル構成の電子デバイスの実施形態を示す簡略化された正投影図である。
【０００５】
【図１Ｃ】本開示の一実施形態による２つの部分に分離された分離構成の電子デバイスの実施形態を示す簡略化された正投影図である。
【０００６】
【図１Ｄ】本開示の一実施形態による２つの部分に分離された分離構成の電子デバイスの実施形態を示す簡略化された正投影図である。
【０００７】
【図２】本開示の一実施形態による電子デバイスの実施形態を示す簡略化された正投影図である。
【０００８】
【図３】本開示の一実施形態による電子デバイスの実施形態を示す簡略化された正投影図である。
【０００９】
【図４】本開示の一実施形態によるタブレット構成の電子デバイスの実施形態を示す簡略化された正投影図である。
【００１０】
【図５Ａ】本開示の一実施形態による２つの部分に分離された分離構成の電子デバイスの実施形態を示す簡略化された正投影図である。
【００１１】
【図５Ｂ】本開示の一実施形態による２つの部分に分離された分離構成の電子デバイスの実施形態を示す簡略化された正投影図である。
【００１２】
【図５Ｃ】本開示の一実施形態による２つの部分に分離された分離構成の電子デバイスの実施形態を示す簡略化された正投影図である。
【００１３】
【図６】本開示の一実施形態に関連する潜在的な動作を示す簡略化されたフロー図である。
【００１４】
【図７】本開示の例示的なＡＲＭエコシステムシステムオンチップ（ＳＯＣ）に関連する簡略化されたブロック図である。
【００１５】
【図８】本開示に関連する活動を実行するために用いられ得る例示的なロジックを示す簡略化されたブロック図である。
【００１６】
図面の図は、必ずしも、縮尺どおりに描かれてはいないので、それらの大きさは、本開示の範囲から逸脱することなく、大幅に変更されることができる。
【発明を実施するための形態】
【００１７】
以下の詳細な説明は、電子デバイスのための着脱可能ディスプレイ構成に関する装置、方法、及びシステムの例示的な実施形態を説明する。例えば、（複数の）構造、（複数の）機能、及び／又は（複数の）特性の複数の特徴は、便宜上、例えば、一実施形態を参照して説明され、様々な実施形態は、説明される複数の特徴のうちの任意の適切な１又は複数で実装されてよい。
【００１８】
図１Ａは、本開示の一実施形態による閉じられたクラムシェル構成の電子デバイス１０の実施形態を示す簡略化された正投影図である。電子デバイスは、第１の部分１２、第２の部分１４、及びヒンジ２０を含んでよい。ヒンジ２０は、第１の部分１２と第２の部分１４との間で共有される回転の軸を定義できる。実施形態において、ヒンジ２０は、最大で３６０度（３６０°）又は約３６０°まで回転できる。ヒンジ２０は、インターコネクタ２２を含むことができる。インターコネクタ２２は、第１の部分１２を第２の部分１４に電気的に接続できるプリント回路基板（ＰＣＢ）インターコネクタであってよい。
【００１９】
タブレット、及び現在市場に出ている他の複数の電子デバイスは、限定された扱いにくい共有及び協調環境を提供する。典型的には、特別なアフターマーケットのソフトウェアが、２つのディスプレイ（又はスクリーン）にわたる協調を可能にすべく、インストールされ、手動で構成されてアクティブ化されるべきである。さらに、現在市場で利用可能なほとんどのタブレットは、同じ視認可能なディスプレイ上に、アプリケーションオブジェクトエリア及びキーボードを提供する。したがって、ソフトウェアキーボードは、ディスプレイの実際の領域の半分を占領し、実質的に、視認可能なアプリケーションエリアを小さくする。さらに、現在市場に出ている複数のタブレットデバイスは、ディスプレイが直立の、鉛直な、又はラップトップの姿勢で設置されることを可能にするために、特別な複数のケースを必要とし、又は例えば、キーボード等のハードウェアを付け足す。
【００２０】
電子デバイス１０は、物理的に取り付けられ又は分離され、コンテンツの共有を促進し、追加のソフトウェア、又は協調セッションをアクティブ化する労力なしで、協調してコンテンツを編集することを可能にすることができる２つのディスプレイを提供するように構成されることができる。実施形態において、電子デバイス１０は、電子デバイス１０がラップトップ構成、各ディスプレイが外側に向くテント構成、各ディスプレイが上に向くフラット構成、タブレット構成、又は協調セッションを促進する他の構成で機能することを可能にする３６０°ヒンジで接続される２つのディスプレイを提供する。さらに、２つのディスプレイが取り付けられる場合、電子デバイス１０は、取り付けられた複数のディスプレイのうち１つを完全なクワーティキーボードとして利用する能力を提供できる。２つのディスプレイが分離される場合、各ディスプレイは、タブレットとして機能でき、複数のタブレットは、協調を可能にするために、共有セッションを自動的に確立できる。実施形態において、１つのディスプレイ上で行われる修正、変更、編集、注釈等は、他のディスプレイに反映され、又は（例えば、ゲーム環境において）動作を他のディスプレイ上に発生させることができる。これは、電子デバイス１０がシームレスに協調セッションを確立できるので、協調に関するユーザエクスペリエンスの向上をもたらす。電子デバイス１０は、ビジネス環境で、（フラッシュカード又はＱ＆Ａ学習手法を用いる生徒との１対１のセッションのための公的及び私的の両方の）教育環境で、又はゲーム環境で用いられてよい。
【００２１】
１又は複数の実施形態において、電子デバイス１０は、ノートブックコンピュータ、ラップトップ、携帯電話、タブレットコンピュータ、及び／又はタブレットデバイス（例えば、i-Pad）、パーソナルデジタルアシスタント（ＰＤＡ）、スマートフォン、オーディオシステム、任意のタイプのムービープレーヤー、コンピュータドッキングステーション、又は（任意のタイプのコンポーネント、素子、回路等を含む）複数の電子コンポーネントに結合される回路基板を含む他のデバイスである。第１の部分１２及び第２の部分１４は、各々、第１の部分１２及び第２の部分１４がスタンドアロンタブレットとして動作することを可能にするために、バッテリ及び様々電子機器（例えば、プロセッサ、メモリ等）を含むことができる。別の実施形態において、第１の部分１２及び第２の部分１４は、各々、第１の部分１２が第２の部分１４から取り外される場合に、第１の部分１２及び第２の部分１４が互いに通信することを可能にする無線モジュール（例えば、Ｗｉ−Ｆｉモジュール、Bluetooth（登録商標）モジュール、任意の適切な８０２プロトコル等）含む。第１の部分１２及び第２の部分１４は、各々、カメラ、マイク、及びスピーカを含んでよい。
【００２２】
図１Ｂを参照すると、図１Ｂは、本開示の一実施形態による開かれたクラムシェル構成の電子デバイス１０を示す簡略化された正投影図である。第１の部分１２は、第１のディスプレイ１６を含んでよく、第２の部分１４は、第２のディスプレイ１８を含んでよい。第１のディスプレイ１６及び第２のディスプレイ１８は、各々、液晶ディスプレイ（ＬＣＤ）、有機発光ダイオード（ＯＬＥＤ）、又はいくつかの他のタイプのディスプレイであってよい。図１Ｂに示されるように、第１のディスプレイ１６は、グラフィックス又は対話型の画像を表示するように構成されてよく、第２のディスプレイ１８は、仮想キーボードを表示するように構成されてよい。
【００２３】
図１Ｃを参照すると、図１Ｃは、本開示の一実施形態による２つの部分に分離された電子デバイス１０の簡略化された概略図である。機械的なスナップイン機構が、第１の部分１２を第２の部分１４に対して、取り付け、保持、及び分離するために用いられてよい。実施形態において、圧縮コネクタは、電気的結合（有線又は無線）が第１の部分１２と第２の部分１４との間に生成されるように、インターコネクタ２２を係合してよい。オンボードバッテリ又はコンデンサを再充電し、任意の数のアイテム（例えば、ディスプレイ１６、無線モジュール、カメラ、スピーカ等）に電力を供給し、第１の部分１２と第２の部分１４との間の通信パスを提供するために、インターコネクタ２２を用いて、電流及び信号が、第１の部分１２へ／から第２の部分１４から／へ渡されることができる。他の例において、電流及び信号が、プラグインコネクタを介して渡されることができる（例えば、それのオス側突出部が第１の部分１２に接続し、それのメス側が第２の部分１４に接続する、又はその逆でもよい）。ここで留意すべきことは、任意の数のコネクタ（例えば、（例えば、２００８年１１月にリリースされたＵＳＢ３．０規格に準拠する）ユニバーサルシリアルバス（ＵＳＢ）コネクタ、Thunderbolt（商標）コネクタ、規格外の接続点、例えば、ドッキングコネクタ等）は、電子デバイス１０と連動してプロビジョニングされることができることである。［Thunderbolt（商標）及びThunderboltのロゴは、米国及び／又は他の国においてインテル社の商標である。］実質的に、任意のその他の電気接続方法が用いられることができ、したがって、明確に本開示の範囲内である。
【００２４】
図１Ｄを参照すると、図１Ｄは、本開示の一実施形態による２つの部分に分離された分離構成の電子デバイス１０を示す簡略化された概略図である。（図１Ｃに示されるように）分離された後、第１の部分１２及び第２の部分１４は、協調を可能にするために、共有セッションを自動的に確立してよい。第１の部分１２が第２の部分１４から分離される場合、各々は、スタンドアロンタブレットとして動作できる。図１Ｄに示されるように、仮想キーボードを表示する代わりに、第２の部分１４は、第１の部分１２上に表示される同じ画像を表示できる。これは、コンテンツの共有を可能にし、コンテンツが協調して編集されることを可能にする。例えば、１つのディスプレイ（例えば、ディスプレイ１６）上の変更、編集、又は注記は、他のディスプレイ（例えば、ディスプレイ１８）上に表れることができる。そのような構成は、協調セッションがシームレスに確立されることができるので、協調に関するユーザエクスペリエンスの向上をもたらすことができる。
【００２５】
図２を参照すると、図２は、本開示の一実施形態による電子デバイス１０の簡略化された正投影図である。図２に示されるように、第１の部分１２は、クラムシェル構成を超えてテント構成に、ヒンジ２０を中心に回転させられている。テント構成の場合、第１の部分１２及び第２の部分１４は、協調を可能にするために、共有セッションを自動的に確立してよい。そのような構成は、電子デバイス１０が机又はいくつかの他の類似の表面上に置かれている間に、協調を可能にできる。例えば、仮想キーボードを表示する代わりに、第２のディスプレイ１８は、第１のディスプレイ１６上に表示されている（不図示）同じ画像を表示してよい。これは、コンテンツの共有を可能にし、コンテンツが協調して編集されることを可能にする。１つのディスプレイ（例えば、ディスプレイ１６）上の変更、編集、又は注記は、他のディスプレイ（例えば、ディスプレイ１８）上に表れることができる。
【００２６】
図３を参照すると、図３は、本開示の一実施形態による電子デバイス１０の簡略化された正投影図である。図３に示されるように、第１の部分１２は、それが第２の部分１４に平行になるように、回転させられている。そのような構成は、コンテンツの共有を可能でき、コンテンツが協調して編集されること、又は仮想ボードゲーム又はいくつかの他の仮想の娯楽の形態のプレイを可能にさせる。例えば、図３に示されるように、第１の部分１２は、チェッカーボードの片側を表示でき、一方で、第２の部分１４は、チェッカーボードの反対側を表示できる。実施形態において、（図３に示される構成に限定されないが）１つのディスプレイ上で行われた変更は、他のディスプレイ上に表れなくてよい。さらに、１つのディスプレイは、他のディスプレイ上で行われる変更に反応してよい。
【００２７】
図４を参照すると、図４は、本開示の一実施形態によるタブレット構成の電子デバイス１０の簡略化された正投影図である。図４に示されるように、第１の部分１２は、電子デバイス１０がタブレットコンピュータ、タブレットデバイス、又はタブレット構成であるように、第２の部分１４を覆って、３６０°（又は約３６０°）回転させられている。
【００２８】
ヒンジ２０及びインターコネクタ２２は、第１の部分１２が第２の部分１４に取り付けられ、第２の部分１４の回りを３６０°回転されることを可能にする。例えば、第１の部分１２上の第１のディスプレイ１６は、第２の部分１４上の第２のディスプレイ１８の方に内側に向いてよく（図１Ａに示されるように、クラムシェル構成又はモード）、又は第１のディスプレイ１６は、第２のディスプレイ１８から離れて外側に向いてよい（図４に示されるように、タブレット構成又はモード）。電子デバイス１０は、例えば、クラムシェル構成（開かれた及び閉じられた構成の両方）、タブレット構成、ムービー構成等の複数の可能な構成で構成されることができる。電子デバイス１０がクラムシェル構成である場合、閉じられた姿勢は、第１のディスプレイ１６及び第２のディスプレイ１８の保護を可能にする。第１の部分１２が開かれた姿勢まで回転される場合、電子デバイス１０は、従来のラップトップの姿勢で動作できる（つまり、図１Ｂに示されるような、第２のディスプレイ１８上に表示される仮想キーボード）。第１の部分１２が３６０°（又は約３６０°）回転され、タブレット構成で外側に向くように逆さまに反転される場合（図４に示されるように）、第２の部分１４（及び第２のディスプレイ１８）は、第１の部分１２の後でユーザインタラクションの邪魔にならないところに退避させられてよい。実施形態において、第２の部分１４は、（第１の部分１２の後で）スタンドとして動作でき、電子デバイス１０は、固定ディスプレイ（例えば、ムービーモード）になることができる。
【００２９】
図５Ａを参照すると、図５Ａは、本開示の一実施形態による２つの部分に分離された分離構成の電子デバイス１０を示す簡略化された概略図である。第１の部分１２が第２の部分１４から分離される場合、第１の部分１２及び第２の部分１４は、電気コネクタ２４を介して通信してよい。電気コネクタ２４は、任意の数のコネクタ、例えば、ＵＳＢコネクタ、カテゴリ５（ｃａｔ５）ケーブル、カテゴリ５ｅ（ｃａｔ５ｅ）ケーブル、Thunderbolt（商標）コネクタ、規格外の接続点、例えば、ドッキングコネクタ等であってよい。実質的に、任意の他の電気接続方法が用いられることができ、したがって、明確に本開示の範囲内である。
【００３０】
図５Ｂを参照すると、図５Ｂは、本開示の一実施形態による２つの部分に分離された分離構成の電子デバイス１０を示す簡略化された概略図である。第１の部分１２が第２の部分１４から分離される場合、第１の部分１２及び第２の部分１４は、無線接続（例えば、ネットワーク２６と情報をやりとりする無線モジュール）を介して通信してよい。実施形態において、無線接続は、比較的小さいエリア内で第１の部分１２及び第２の部分１４を相互接続するための無線パーソナルエリアネットワーク（ＷＰＡＮ）であってよい（例えば、Bluetooth（登録商標）、不可視の赤外光、Ｗｉ−Ｆｉ等）。別の実施形態において、無線接続は、通常、インターネットアクセスのためのアクセスポイントを介する接続を提供する無線分配方法を用いて、比較的短い距離をわたって第１の部分１２及び第２の部分１４をリンクさせる無線ローカルエリアネットワーク（ＷＬＡＮ）であってよい。スペクトル拡散又はＯＦＤＭの技術の使用は、第１の部分１２及び第２の部分１４がローカルカバレッジエリア内で動き回って、依然、ネットワーク及び互いとの接続を維持することを可能にしてよい。無線接続は、任意の３Ｇ／４Ｇ／ＬＴＥセルラ無線、ＷｉＦｉ／ＷｉＭＡＸ（登録商標）接続、又はいくつかの他の類似の無線接続であってよい。
【００３１】
図５Ｃを参照すると、図５Ｃは、本開示の一実施形態による２つの部分に分離された分離構成の電子デバイス１０を示す簡略化された概略図である。第１の部分１２が第２の部分１４から分離される場合、第１の部分１２及び第２の部分１４は、ネットワーク２６を介して通信してよい。ネットワーク２６は、ネットワーク２６を介して伝搬する情報のパケットを受信及び送信するための相互接続された通信パスの一連のポイント又はノードであってよい。ネットワーク２６は、第１の部分１２と第２の部分１４との間の通信インターフェースを提供し、任意のローカルエリアネットワーク（ＬＡＮ）、無線ローカルエリアネットワーク（ＷＬＡＮ）、メトロポリタンエリアネットワーク（ＭＡＮ）イントラネット、エクストラネット、ＷＡＮ、仮想プライベートネットワーク（ＶＰＮ）、又はネットワーク環境において通信を促進する任意の他の適切なアーキテクチャ又はシステムであってよい。ネットワーク２６は、通信メディアを介して互いに結合される（及びと通信する）任意の数のハードウェア又はソフトウェア要素を備えることができる。
【００３２】
図６を参照すると、図６は、構成可能ディスプレイデバイスシステムの例示的な活動を示す簡略化されたフローチャート６００である。６０２において、電子デバイスは、第１のディスプレイ上に第１の画像を、そして第２のディスプレイ上に第２の画像を表示する。各画像は、ユーザからの入力に反応する対話型の画像であってよい。実施形態において、１つの画像は、仮想キーボードである。６０４において、第１のディスプレイは、第２のディスプレイから分離される。６０６において、第１の画像は、第２のディスプレイ上に示される。６０８において、第１の画像に対する修正（例えば、変更、編集、注釈等）は、第１のディスプレイ及び第２のディスプレイ上に示される。
【００３３】
図７は、本開示の例示的なＡＲＭエコシステムＳＯＣ７００に関連する簡略化されたブロック図である。本開示の少なくとも１つの実装形態は、本明細書で議論される管理接続コスト及び帯域幅特性とＡＲＭコンポーネントとの統合を含むことができる。例えば、図７の例は、任意のＡＲＭコア（例えば、Ａ−９、Ａ−１５等）に関連し得る。さらに、アーキテクチャは、任意のタイプのタブレット、スマートフォン（Android（登録商標）電話、I-Phone（商標）を含む）、I-Pad（商標）、Google Nexus（商標）、Microsoft Surface（商標）、パーソナルコンピュータ、サーバ、ビデオ処理コンポーネント、ラップトップコンピュータ（任意のタイプのノートブックを含む）、Ultrabook（商標）システム、任意のタイプのタッチ可能な入力デバイス等の一部であり得る。
【００３４】
図７のこの例において、ＡＲＭエコシステムＳＯＣ７００は、複数のコア７０６―７０７、Ｌ２キャッシュ制御７０８、バスインターフェースユニット７０９、Ｌ２キャッシュ７１０、グラフィックス処理ユニット（ＧＰＵ）７１５、インターコネクト７０２、ビデオコーデック７２０、及びＬＤＣに結合するモバイルインダストリプロセッサインターフェース（ＭＩＰＩ）／ハイディフィニションマルチメディアインターフェース（ＨＤＭＩ（登録商標））のリンクに関連し得る液晶ディスプレイ（ＬＣＤ）Ｉ／Ｆ７２５を含んでよい。
【００３５】
ＡＲＭエコシステムＳＯＣ７００は、また、加入者識別モジュール（ＳＩＭ）Ｉ／Ｆ７３０、ブートリードオンリーメモリ（ＲＯＭ）７３５、シンクロナスダイナミックランダムアクセスメモリ（ＳＤＲＡＭ）コントローラ７４０、フラッシュコントローラ７４５、シリアルペリフェラルインターフェース（ＳＰＩ）マスタ７５０、適切な電力制御７５５、ダイナミックＲＡＭ（ＤＲＡＭ）７６０、及びフラッシュ７６５を含んでよい。さらに、１又は複数の例示的な実施形態は、例えば、Bluetooth（登録商標）７７０、３Ｇモデム７７５、グローバルポジショニングシステム（ＧＰＳ）７８０、及び８０２．１１ＷｉＦｉ７８５の例のような１又は複数の通信能力、インターフェース、及び特徴を含む。
【００３６】
動作中、図７の例は、様々なタイプ（例えば、モバイルコンピューティング、ハイエンドデジタルホーム、サーバ、無線インフラストラクチャ等）の演算を可能にするために、比較的低い電力消費とともに処理能力を提供できる。さらに、そのようなアーキテクチャは、任意の数のソフトウェアアプリケーション（例えば、Android（登録商標）、Adobe Flash Player、Java（登録商標） Platform Standard Edition (Java（登録商標） SE)、JavaFX、Linux（登録商標）、Microsoft Windows（登録商標） Embedded、Symbian、及びUbuntu等）を可能にできる。少なくとも１つの例示的な実施形態において、コアプロセッサ７０５は、結合低レイテンシレベル２キャッシュを用いてアウトオブオーダスーパースケーラパイプラインを実装してよい。
【００３７】
図８は、本明細書で議論される構成可能ディスプレイの動作のいずれかに関連し得る潜在的な電子機器及びロジックを示す簡略化されたブロック図である。少なくとも１つの例示的な実施形態において、システム８００は、タッチコントローラ８０２、１又は複数のプロセッサ８０４、（複数の）プロセッサ８０４のうち少なくとも１つに結合されるシステム制御ロジック８０６、システム制御ロジック８０６に結合されるシステムメモリ８０８、システム制御ロジック８０６に結合される不揮発性メモリ及び／又は（複数の）ストレージデバイス８１０、システム制御ロジック８０６に結合されるディスプレイコントローラ８１２、ディスプレイデバイス８３２に結合されるディスプレイコントローラ８１２、システム制御ロジック８０６に結合される電力管理コントローラ８１８、及び／又はシステム制御ロジック８０６に結合される通信インターフェース８１６を含むことができる。
【００３８】
システム制御ロジック８０６は、少なくとも１つの実施形態において、少なくとも１つのプロセッサ８０４に、及び／又はシステム制御ロジック８０６と通信する任意の適切なデバイス又はコンポーネントに任意の適切なインターフェースを提供するために、任意の適切なインターフェースコントローラを含むことができる。システム制御ロジック８０６は、少なくとも１つの例示的な実施形態において、システムメモリ８０８にインターフェースを提供するために、１又は複数のメモリコントローラを含むことができる。システムメモリ８０８は、例えば、システム８００に対するデータ及び／又は命令をロード及びストアするために用いられてよい。システムメモリ８０８は、少なくとも１つの例示的な実施形態において、例えば、任意の適切な揮発性メモリ、例えば、適切なダイナミックランダムアクセスメモリ（ＤＲＡＭ）を含むことができる。システム制御ロジック８０６は、少なくとも１つの例示的な実施形態において、ディスプレイデバイス８３２、タッチコントローラ８０２、及び不揮発性メモリ及び／又は（複数の）ストレージデバイス８１０にインターフェースを提供するために、１又は複数のＩ／Ｏコントローラを含むことができる。
【００３９】
不揮発性メモリ及び／又は（複数の）ストレージデバイス８１０は、例えば、ソフトウェア８２８内に、データ及び／又は命令を格納するために用いられてよい。不揮発性メモリ及び／又は（複数の）ストレージデバイス８１０は、例えば、任意の適切な不揮発性メモリ、例えば、フラッシュメモリを含んでよく、及び／又は例えば、（複数の）任意の適切な不揮発性ストレージデバイス、例えば、１又は複数のハードディスクドライブ（ＨＤＤ）、１又は複数のコンパクトディスク（ＣＤ）ドライブ、及び／又は１又は複数のデジタル多用途ディスク（ＤＶＤ）ドライブを含んでよい。
【００４０】
電力管理コントローラ８１８は、様々な電力管理及び／又は電力節約機能又はそれの任意の一部を制御するように構成される電力管理ロジック８３０を含んでよい。少なくとも１つの例示的な実施形態において、電力管理コントローラ８１８は、低減された電力で動作させるか、電子デバイスが低電力構成にある場合にオフされるかのいずれかであり得るシステム８００のコンポーネント又はデバイスの電力消費を減少させるように構成される。例えば、少なくとも１つの例示的な実施形態において、電子デバイスは、低電力構成にある場合に電力管理コントローラ８１８は、以下のうちの１又は複数を実行する。ディスプレイの使用されていない部分及び／又はそれとともに関連する任意のバックライトのパワーを落とす、より小さい演算パワーが閉じられた構成で要求される場合に（複数の）プロセッサ８０４のうちの１又は複数がより低い電力状態に行くことを可能にする、及び電子デバイスが閉じられた構成である場合に使用されていない任意のデバイス及び／又はコンポーネントをシャットダウンする。
【００４１】
（複数の）通信インターフェース８１６は、１又は複数のネットワークを介して及び／又は任意の他の適切なデバイスと通信するために、システム８００にインターフェースを提供してよい。（複数の）通信インターフェース８１６は、任意の適切なハードウェア及び／又はファームウェアを含んでよい。（複数の）通信インターフェース８１６は、少なくとも１つの例示的な実施形態において、例えば、ネットワークアダプタ、無線ネットワークアダプタ、電話モデム、及び／又は無線モデムを含んでよい。
【００４２】
システム制御ロジック８０６は、少なくとも１つの例示的な実施形態において、任意の適切な（複数の）入力／出力デバイス、例えば、音を対応するデジタル信号に変換することを支援する及び／又はデジタル信号を対応する音に変換することを支援するオーディオデバイス、カメラ、カムコーダ、プリンタ、及び／又はスキャナ等にインターフェースを提供するために、１又は複数のＩ／Ｏコントローラを含むことができる。
【００４３】
少なくとも１つの例示的な実施形態について、少なくとも１つのプロセッサ８０４は、システム制御ロジック８０６の１又は複数のコントローラのためのロジックと一緒にパッケージされてよい。少なくとも１つの例示的な実施形態において、少なくとも１つのプロセッサ８０４は、システムインパッケージ（ＳｉＰ）を形成するために、システム制御ロジック８０６の１又は複数のコントローラのためのロジックと一緒にパッケージされてよい。少なくとも１つの例示的な実施形態において、少なくとも１つのプロセッサ８０４は、システム制御ロジック８０６の１又は複数のコントローラのためのロジックと同じダイ上で一体化されてよい。少なくとも１つの例示的な実施形態について、少なくとも１つのプロセッサ８０４は、システムオンチップ（ＳｏＣ）を形成するために、システム制御ロジック８０６の１又は複数のコントローラのためのロジックと同じダイ上で一体化されてよい。
【００４４】
タッチ制御について、タッチコントローラ８０２は、タッチセンサインターフェース回路８２２及びタッチ制御ロジック８２４を含んでよい。タッチセンサインターフェース回路８２２は、ディスプレイ（つまり、ディスプレイデバイス８３２）の第１のタッチ表面層及び第２のタッチ表面層を通じてタッチ入力を検出するように結合されてよい。タッチセンサインターフェース回路８２２は、例えば、タッチ入力デバイスのために用いられるタッチセンサ技術に少なくとも部分的に依存し得る任意の適切な回路を含んでよい。タッチセンサインターフェース回路８２２は、一実施形態において、任意の適切なマルチタッチ技術をサポートしてよい。例えば、タッチ入力デバイス８１４は、タッチセンサ８２０を含んでよい。タッチセンサインターフェース回路８２２は、少なくとも１つの実施形態において、第１のタッチ表面層及び第２の表面層に対応するアナログ信号を、任意の適切なデジタルタッチ入力データに変換するために、任意の適切な回路を含むことができる。少なくとも１つの実施形態のための適切なデジタルタッチ入力データは、例えば、タッチ位置又は座標データを含んでよい。
【００４５】
タッチ制御ロジック８２４は、第１のタッチ表面層及び第２のタッチ表面層を通じてタッチ入力を検出するために、任意の適切な方法でタッチセンサインターフェース回路８２２を制御することを支援するように結合されてよい。少なくとも１つの例示的な実施形態のためのタッチ制御ロジック８２４は、また、タッチセンサインターフェース回路８２２によって検出されたタッチ入力に対応するデジタルタッチ入力データを、任意の適切な方法で出力するように結合されてよい。タッチ制御ロジック８２４は、任意の適切なハードウェア、ファームウェア、及び／又はソフトウェアロジック（例えば、非一時的有形メディア）を含み、例えば、タッチセンサインターフェース回路８２２に用いられる回路に少なくとも部分的に依存し得る任意の適切なロジックを用いて実装されてよい。少なくとも１つの実施形態のためのタッチ制御ロジック８２４は、任意の適切なマルチタッチ技術をサポートしてよい。
【００４６】
タッチ制御ロジック８２４は、デジタルタッチ入力データをシステム制御ロジック８０６及び／又は処理のための少なくとも１つのプロセッサ８０４に出力するように結合されてよい。少なくとも１つの実施形態のための少なくとも１つのプロセッサ８０４は、タッチ制御ロジック８２４からのデジタルタッチ入力データ出力を処理するために、任意の適切なソフトウェアを実行してよい。適切なソフトウェアは、例えば、任意の適切なドライバソフトウェア及び／又は任意の適切なアプリケーションソフトウェアを含んでよい。図８に示されるように、システムメモリ８０８は、適切なソフトウェア８２６及び／又は不揮発性メモリ及び／又は（複数の）ストレージデバイスを格納してよい。
【００４７】
ここで留意すべきことは、いくつかの例示的な実装形態において、本明細書で概説される機能は、非一時的媒体メディアを含んでよい１又は複数の有形機械可読記憶媒体においてエンコードされるロジック（例えば、特定用途向け集積回路（ＡＳＩＣ）で、デジタル信号プロセッサ（ＤＳＰ）命令で提供される埋め込みロジック、プロセッサ又は他の類似の機械等によって実行されるためのソフトウェア（オブジェクトコード及びソースコードを潜在的に含む））と連動して実装されてよいことである。これらの例のいくつかにおいて、メモリ素子は、本明細書で説明される動作のために用いられるデータを格納できる。これは、本明細書で説明される活動を遂行するために実行されるソフトウェア、ロジック、コード、又はプロセッサ命令を格納することが可能であるメモリ素子を含むことができる。プロセッサは、本明細書で詳述される動作を実現するために、データに関連する任意のタイプの命令を実行できる。一例において、プロセッサは、要素又は物品（例えば、データ）を１つの状態又は物から別の状態又は物に変換できる。別の例において、本明細書で概説される活動は、固定のロジック又はプログラマブルなロジック（例えば、プロセッサによって実行されるソフトウェア／コンピュータ命令）で実装されてよく、本明細書で特定される要素は、いくつかのタイプのプログラマブルプロセッサ、プログラマブルデジタルロジック（例えば、フィールドプログラマブルゲートアレイ（ＦＰＧＡ）、ＤＳＰ、消去可能プログラマブルリードオンリーメモリ（ＥＰＲＯＭ）、電気的消去可能プログラマブルリードオンリーメモリ（ＥＥＰＲＯＭ）、又はＡＳＩＣであり得、それは、デジタルロジック、ソフトウェア、コード、電子命令、又はそれの任意の適切な組み合わせを含むことができる。
【００４８】
ここで留意すべきことは、上で提供された例、及び本明細書で提供された多数の他の例を用いて、相互作用が、層、プロトコル、インターフェース、空間、及び環境の用語でより一般的に説明されてよいことである。しかし、これは、明確さ及び例示の目的のためだけに行われる。特定の場合において、限定された数のコンポーネントを参照することだけにより、フローの所与のセットの機能性のうちの１又は複数を説明することがより容易であり得る。本明細書で議論されるアーキテクチャ（及びそれの教示）は、容易に拡張可能であり、多数のコンポーネント及びより複雑な／洗練された配置及び構成を収容することができることが理解されるべきである。したがって、提供される例は、無数の他のアーキテクチャに潜在的に適用されるので、本開示の範囲を限定又は広範な教示を阻害するべきでない。
【００４９】
また、フロー図におけるブロックは、本明細書に議論される回路により又は内において実行され得る可能なシグナリングのシナリオ及びパターンのいくつかだけを示すことに留意することが重要である。これらのブロックのいくつかは、適切な場合には、削除又は取り除かれてよく、又はこれらの動作又は活動は、本明細書で提供される教示の範囲から逸脱することなく、大幅に修正又は変更されてよい。さらに、これらの動作の多数は、１又は複数の追加の動作と同時に又は並行に実行されるものとして説明されている。しかし、これらの動作のタイミングは、大幅に変更されてよい。前の動作フローは、例示及び議論のために提供されている。任意の適切な配置、配列順序、構成、及びタイミングのメカニズムが、本明細書で提供される教示を逸脱することなく提供され得るように、実質的な柔軟性が本開示によって提供される。
【００５０】
また、本明細書で概説される規格、プロトコル、及び関係の全て（例えば、特定のコマンド、タイミングの間隔、サポートする付随的なコンポーネント等）が、例示及び教示のためだけに提供されているだけであることに留意することが必要不可欠である。これらのデータのそれぞれは、本開示の主旨又は添付の請求項の範囲から逸脱することなく、大幅に変更されてよい。規格は、多くの様々な非限定的な例に適用し、したがって、そのように解釈されるべきである。前述の説明において、例示的な実施形態が説明されている。様々な修正及び変更は、添付の請求項の範囲から逸脱することなく、そのような実施形態に対して行われてよい。したがって、説明及び図面は、制限的な意味でなくむしろ例示的とみなされるべきである。
【００５１】
多数の他の変更、代替、変化、改変、及び修正は、当業者に明らかになり、本開示が、添付の請求項の範囲内に包含されるものとして全てのそのような変更、代替、変化、改変、及び修正を含むことが意図される。米国特許商標庁（ＵＳＰＴＯ）、及びさらにはここに添付される請求項を解釈する際に、本願について発行される任意の特許の任意の読み手を支援すべく、出願人が（ａ）文言「手段（means for）」又は「段階（step for）」が特定の請求項において具体的に用いられる場合を除いて、それが出願の日に存在するような米国特許法１１２条第６パラグラフを行使することを添付の請求項のいずれについても意図せず、（ｂ）本明細書における任意の陳述によって、添付の請求項に別の方法で反映されない任意の方法で本開示を限定することを意図しないことに留意することを出願人は望む。
【００５２】
［例示的な実施形態の実装］
電子デバイスの１つの特定の例示的な実装形態は、第１の部分が電子デバイスの第２の部分から分離される場合に、（例えば、Ｗｉ−Ｆｉ接続、Bluetooth（登録商標）接続、ＵＳＢ接続等用いて）電気デバイスの第１の部分と電気デバイスの第２の部分との間の協調セッションを自動的に促進する手段を含んでよい。電子デバイスは、また、（例えば、任意のタイプの信号、経路、ポート等を用いて）電子デバイスの第１の部分と電子デバイスの第２の部分との間の無線接続を確立する手段を含んでよい。さらに、第１の部分及び第２の部分が連結される場合、第２の部分は、仮想キーボードを表示してよい。
【００５３】
［他の注釈及び例］
例Ａ１は、第１のディスプレイを含む第１の部分と、第１の部分に結合される第２の部分とを含む電子デバイスであり、第２の部分は、第２のディスプレイを含み、第１の部分が第２の部分から分離される場合、協調セッションが第１の部分と第２の部分との間で自動的に促進される。例Ａ２において、例Ａ１の主題は、第１の部分が第２の部分に結合されることを任意選択的に有してよく、第２のディスプレイは、対話型の仮想キーボードを表示する。
【００５４】
例Ａ３において、前の「Ａ」の例のいずれかの主題は、第１の部分が最大で約３６０度まで回転できるヒンジによって第２の部分に結合されることを任意選択的に含むことができる。第１のディスプレイ及び第２のディスプレイは、各々、タッチディスプレイを備えることができる。例Ａ４において、前の「Ａ」の例のいずれかの主題は、協調セッションの間、第１のディスプレイ上で行われた修正が第２のディスプレイ上に示されることを任意選択的に可能にできる。例Ａ５において、前の「Ａ」の例のいずれかの主題は、第１の部分がプリント回路基板インターコネクタによって第２の部分に結合されることを任意選択的に含むことができる。
【００５５】
例Ａ６において、前の「Ａ」の例のいずれかの主題は、第１の部分が第２の部分から取り外された後、第１の部分が無線モジュールを用いて第２の部分と通信することを任意選択的に含むことができる。例Ａ７において、前の「Ａ」の例のいずれかの主題は、無線モジュールがＷｉ−Ｆｉモジュールであることを任意選択的に含むことができる。第１の部分及び第２の部分が連結される場合、電力及びデータは、第１の部分と第２の部分との間を流れることができる。
【００５６】
例Ｍ１は、電気デバイスの第１の部分と電気デバイスの第２の部分との間の電気的結合を確立する段階と、第１の部分が第２の部分から取り外される場合に、協調セッションを開始する段階とを含み得る方法であり、第１の部分は第１のディスプレイを含み、第２の部分は第２のディスプレイを含み、第１の部分を第２の部分から取り外すことは、第１の部分及び第２の部分がスタンドアロンタブレットデバイスとして各々動作することを可能にする。
【００５７】
例Ｍ２において、例Ｍ１の主題は、第２のディスプレイが対話型の仮想キーボードを表示することを任意選択的に含むことができる。例Ｍ３において、前の「Ｍ」の例のいずれかの主題は、第１の部分が最大約３６０度まで回転できるヒンジによって第２の部分に結合されることを任意選択的に含むことができる。第１のディスプレイ及び第２のディスプレイは、各々、タッチディスプレイを備えることができる。協調セッションの間、第１のディスプレイ上で行われる修正は、第２のディスプレイ上に示される。例Ｍ５において、前の「Ｍ」の例のいずれかの主題は、第１の部分がプリント回路基板インターコネクタによって第２の部分に結合されることを任意選択的に含むことができる。例Ｍ６において、前の「Ｍ」の例のいずれかの主題は、第１の部分が第２の部分から取り外された後、第１の部分が無線モジュールを用いて第２の部分と通信することを任意選択的に含むことができる。
【００５８】
例Ｃ１は、少なくとも部分がハードウェアで部分的に実装されるロジックに対応するそれに格納された命令を有する少なくとも１つの機械可読記憶媒体であり、ロジックは、電気デバイスの第１の部分と電気デバイスの第２の部分との間の電気的結合を確立し、第１の部分が第２の部分から取り外される場合に、協調セッションを開始するように構成され、第１の部分は第１のディスプレイを含み、第２の部分は第２のディスプレイを含み、第１の部分が第２の部分から取り外されることは、第１の部分及び第２の部分がスタンドアロンタブレットデバイスとして各々動作することを可能にする。
【００５９】
例Ｘ１は、実行される場合に、例Ａ１−Ａ７及びＭ１−Ｍ６のうちのいずれか１つにおけるような方法を実装又は装置を実現するための機械可読命令を含む機械可読記憶媒体である。例Ｙ１は、例示的な方法Ｍ１−Ｍ６のいずれかを実行する手段を備える装置である。例Ｙ２において、例Ｙ１の主題は、プロセッサ及びメモリを備える方法を実行する手段を任意選択的に含むことができる。例Ｙ３において、例Ｙ２の主題は、実行される場合に、装置に例示的な方法Ｍ１−Ｍ６のいずれかを実行させる機械可読命令を備えるメモリを任意選択的に含むことができる。
【図１Ａ】
2016532167.tif 000003
【図１Ｂ】
2016532167.tif 000004
【図１Ｃ】
2016532167.tif 000005
【図１Ｄ】
2016532167.tif 000006
【図２】
2016532167.tif 000007
【図３】
2016532167.tif 000008
【図４】
2016532167.tif 000009
【図５Ａ】
2016532167.tif 000010
【図５Ｂ】
2016532167.tif 000011
【図５Ｃ】
2016532167.tif 000012
【図６】
2016532167.tif 000013
【図７】
2016532167.tif 000014
【図８】
2016532167.tif 000015
【国際調査報告】
2016532167.tif 000016
2016532167.tif 000017
2016532167.tif 000018
2016532167.tif 000019